(57)【要約】【課題】  現場職人等の会員同士が駐車場を互いに利用できるようにする駐車場管理システムを構築する。【解決手段】  自己の駐車場の空時間帯を他人の車両の駐車のために貸出すことができることを条件に、その者を所定の会員として登録するとともに、その会員及びその駐車場に係る所定のデータを記憶する駐車場データ記憶手段と、登録された会員が自己の駐車場以外の他の駐車場の利用を希望するときに、その希望する駐車場の地域を指定して申込みを行う申込手段と、記憶されている駐車場の中から指定された希望の地域内に存在する駐車場で、かつ駐車可能な駐車場を検索する検索手段と、検索された駐車場の中から駐車を行う駐車場を選択する選択手段とからなり、会員同士は、原則、無料で夫々の駐車場を利用して駐車できるようにする。【選択図】      図１
2006301697.tif 000002
【特許請求の範囲】
【請求項１】
自己の車両を駐車することのできる駐車場を有する者で、かつその駐車場の空時間帯を他人の車両の駐車のために貸出すことができることを条件に、その者を所定の会員として登録するとともに、その所定の登録された会員及びその駐車場に係る所定のデータを記憶する駐車場データ記憶手段と、
登録された会員が自己の駐車場以外の他の駐車場の利用を希望するときに、その希望する駐車場の地域を指定して申込みを行う申込手段と、
記憶されている駐車場の中から指定された希望の地域内に存在する駐車場で、かつ駐車可能な駐車場を検索する検索手段と、
検索された駐車場の中から駐車を行う駐車場を選択して予約する予約手段と、
からなることを特徴とする駐車場管理システム。
【請求項２】
請求項１に記載の駐車場管理システムにおいて、自己の車両を駐車することのできる駐車場は、自己の車両を駐車することのできる駐車場のみならず、登録された会員の親戚等の所有する駐車場で自己の責任において車両を駐車することのできる駐車場を含むことを特徴とする駐車場管理システム。
【請求項３】
請求項１又は２に記載の駐車場管理システムにおいて、駐車場の予約は、会員の登録番号及びその会員に係る所定のパスワードの存在の下に行なわれることを特徴とする駐車場管理システム。
【請求項４】
請求項１乃至３のいずれかに記載の駐車場管理システムにおいて、駐車場に係るデータには、その駐車場の近くに存在するホームセンタ等の資材購入販売店の所定の地域情報が含まれることを特徴とする駐車場管理システム。
【請求項５】
請求項１乃至４のいずれかに記載の駐車場管理システムにおいて、駐車場に係るデータには、その駐車場の近くで発生している建設・土木現場等の現場情報が含まれることを特徴とする駐車場管理システム。
【請求項６】
請求項１乃至５のいずれかに記載の駐車場管理システムにおいて、選択された駐車場に駐車するときの駐車は、原則、無料であることを特徴とする駐車場管理システム。
【発明の詳細な説明】
【技術分野】
【０００１】
本発明は駐車場管理システムに係り、特に建設・土木現場に携わる、いわゆる現場職人等が互いに駐車場を融通しあえるよう、いわゆるネット上で検索し、相互に利用可能にさせるようにしたものに関する。
【背景技術】
【０００２】
従来から、乗用車やトラック等の車両を駐車するためには、他の車両や人の通行に障害を来たさない所定の駐車スペースに駐車するように決められている。そして車両を所定の駐車スペースに駐車しないときは、その駐車場所が駐車禁止区域であると高額な違反金を徴収される場合があるだけでなく、運転免許に係る点数が減じられたり、あるいは免許が停止されたり等の行政処分の対象とされる場合がある。特に、都会において建築工事等に従事する者には、資材その他の搬出入の必要性から、自ら作業車を運転して現場に出入りすることが多い。ただ、住宅密集地等では駐車スペースが確保できないために、違法となるのを承知で路上等に駐車せざるを得ないことが多々ある。
【０００３】
他方、車両を所有する者には、車両保管場所が確保されていることの車庫証明の提出義務があるので、その所有する車両を駐車保管するための駐車場の確保が必要であり、少なくとも自宅又はその近くにおいて車両を駐車保管することができる体制ができている。しかし車両は、人または物を遠く離れた所へ運ぶ手段として用いられるので、その遠くに離れた場所に移動し、その地で駐車しておくには駐車場の確保が必要になる。この駐車場の確保ができないときは、上述のような違反駐車による事故発生や、高額な違反金の支払等の行政処分の対象とされるおそれがあるので、これを解決するために、コイン投入式や月極式等の有料駐車場が多数存在している。
【特許文献１】特になし
【発明の開示】
【発明が解決しようとする課題】
【０００４】
しかしながら、上記従来の有料駐車場は限られた場所にしか存在しないため、土木又は建築工事等に携わる現場職人が必ずしも現場近くの有料駐車場に駐車できないという問題があった。また仮に現場近くの有料駐車場に駐車できたとしても、その駐車料金が高額なために収入が実質的に減少してしまうという切実な問題を有していた。しかも、違法駐車を行うと、その違反金のために一日分の収入の大部分がなくなったり、場合によってはそれ以上の支出になることもあった。
【０００５】
本発明は、このような従来存した欠点を除去するためになされたもので、特に現場職人の人数の多さ及びその現場職人の居住する地域がほぼ均一に分布していることを利用して、現場職人同士が、原則、無料で相互の駐車場を融通し、利用しあえるようにした駐車場管理システムを提供することを目的としている。
【課題を解決するための手段】
【０００６】
本発明に係る駐車場管理システムは、上記目的を達成するために、自己の車両を駐車することのできる駐車場を有する者で、かつその駐車場の空時間帯を他人の車両の駐車のために貸出すことができることを条件に、その者を所定の会員として登録するとともに、その所定の登録された会員及びその駐車場に係る所定のデータを記憶する駐車場データ記憶手段と、登録された会員が自己の駐車場以外の他の駐車場の利用を希望するときに、その希望する駐車場の地域を指定して申込みを行う申込手段と、記憶されている駐車場の中から指定された希望の地域内に存在する駐車場で、かつ駐車可能な駐車場を検索する検索手段と、検索された駐車場の中から駐車を行う駐車場を選択して予約する予約手段と、からなることを特徴としている。
上記構成からなる駐車場管理システムにおいて、登録された会員が申込手段により駐車を希望する地域を指定して申込むと、検索手段により希望する地域内の駐車場が検索される。そして予約手段により駐車を行う駐車場が選択されて予約される。
また、自己の車両を駐車することのできる駐車場が自己の車両を駐車することのできる駐車場のみならず、登録された会員の親戚等の所有する駐車場で自己の責任において車両を駐車することのできる駐車場を含むことを特徴としている。
駐車場の予約は、会員の登録番号及びその会員に係る所定のパスワードの存在の下に行なわれることを特徴としている。
駐車場に係るデータには、その駐車場の近くに存在するホームセンタ等の資材購入販売店の所定の地域情報が含まれることを特徴としている。
駐車場に係るデータには、その駐車場の近くで発生している建設現場等の現場情報が含まれることを特徴としている。
選択された駐車場に駐車するときの駐車は、原則、無料であることを特徴としている。
【発明の効果】
【０００７】
本発明に係る駐車場管理システムは、会員同士の間で相互に駐車場を利用しあえるので、作業現場、その近傍での有料駐車場を利用することなく車両を駐車させておくことができる。このため、会員が現場職人で構成されるときは、現場における駐車料金の支出を抑制することができ、収入を実質的に高めることができる。また違法駐車が少なくなるため、道路の交通渋滞を未然に防止することができる。
【０００８】
自己の車両を駐車することのできる駐車場は、自己の車両を駐車することのできる駐車場のみならず、登録された会員の親戚等の所有する駐車場で自己の責任において車両を駐車することのできる駐車場を含むから、他の会員に貸出すための駐車場数が増加するので、駐車場の選択がより容易になる特長がある。
【０００９】
駐車場の予約は、会員の登録番号及びその会員に係る所定のパスワードの存在の下に行なわれるから、会員の登録番号及びパスワードの存在の下に駐車場の選択が行なわれるので、会員以外の者が不正に駐車場を利用するのを効果的に防止することができる。
【００１０】
駐車場に係るデータには、その駐車場の近くに存在するホームセンタ等の資材購入販売店の所定の地域情報が含まれるから、ホームセンタ等の地域情報を利用することができるので、例えば会員が現場職人で構成されているときは、現場近くで必要な工具類、消耗利用品、機械や部品その他を容易に入手することができる。
【００１１】
駐車場に係るデータには、その駐車場の近くで発生している建設現場等の職場情報が含まれるから、職場情報を利用することができ、例えば会員が現場職人で構成されるときは、現場職人同士で駐車場を利用しあうだけでなく、現場を互いに交換し、またお互いに補助しあうなどの仕事の面でも協力することが可能となる。
【００１２】
選択された駐車場に駐車するときの駐車は、原則、無料であるから、駐車場利用に伴う負担を軽減することができる。
【発明を実施するための最良の形態】
【００１３】
以下、本発明を実施するための最良の形態を図面に基づいて説明する。図１は、本発明に係る会員が土木工事あるいは建築工事等に携わる、いわゆる現場職人で構成される場合の駐車場管理システムの概略図であり、図中符号の１は管理センタである。この管理センタ１は、この駐車場管理システムを運営する会社の本社等の所定の中央組織等に設置される。なお、この管理センタ１は、現場職人の組合が存在する場合にはその組合の本部等に設置することもできる。
【００１４】
管理センタ１内にはパーソナルコンピュータ（パソコン）から構成される複数のクライアントＰＣ２が設置されているとともに、そのクライアントＰＣ２の上位機に当る処理能力の大きなパソコンから構成される管理サーバ３が設置されている。またこの管理センタ１内には、処理能力が大きく、かつ記憶容量の大きなパソコンから構成されるシステムサーバ４が設置されている。そしてこれらクライアントＰＣ２、管理サーバ３及びシステムサーバ４は、通信回線Ｌ１を介して接続されていて一つのローカルエリアネットワーク（ＬＡＮ）が形成されているとともに、専門的な知識を有するオペレータによって所定の情報（データ）の入出力が可能なように構成されている。
【００１５】
図中５は、各現場職人の自宅又は事務所等に設置されている現場職人の所持する固定電話機又は携帯電話機（以下、これらを含めて単に「電話機」として説明する。）である。この電話機５は、公衆電話回線網Ｌ２を介して管理センタ１のクライアントＰＣ２を操作するオペレータの電話機６と接続できるように構成されている。
【００１６】
図中７は、各現場職人の自宅又は事務所等に設置されている現場職人の所持するパーソナルコンピュータ（パソコン）である。このパソコン７は、通信回線網Ｌ３、いわゆるインターネットを介して管理センタ１のシステムサーバ４に接続されていて、そのシステムサーバ４との間で所定の通信が行えるように構成されている。なお。システムサーバ４と通信できるものであればパソコン７に代えてＰＤＡ又は携帯電話機であってもよい。
【００１７】
図２は、システムサーバ４の図示しないメモリに格納される情報ファイルの一例であり、このうち会員個人情報に係る会員情報ファイルＦ１、会員の所有する駐車場情報に係る保管場所情報ファイルＦ２、会員の所有する車両（自動車）情報に係る車両情報ファイルＦ３、会員所有の車両の保険に係る自動車保険情報ファイルＦ４及び会員が会社に係わるときのこの会社情報に係る会社情報ファイルＦ５は、現場職人の提出した書類に基づいてクライアントＰＣ２からオペレータによって入力されて予め作成される。また、駐車場を利用したときの実績情報に係る利用情報ファイルＦ６、駐車場内で事故を起こしたときの情報に係る事故情報ファイルＦ７及びその他のトラブルに係る情報用のトラブル情報ファイルＦ８は、情報（データ）が発生の都度、クライアントＰＣ２のオペレータによって、又はシステムサーバ４を介して自動的に入力されて作成される。また、オペレータ等の社員情報を記憶した社員情報ファイルＦ９及び本発明に係る駐車場管理システムが円滑に運用されるように巡回監視する監視員の情報を記憶した地域監視員情報ファイルＦ１０は、クライアントＰＣ２のオペレータによって入力されて予め作成される。尚、駐車場情報は会員が所有しているもののみならず、会員の親戚、友人更には現場職人等に駐車場を提供できる任意提供者のものであってもよい。
【００１８】
なお、図示しないがシステムサーバ４のメモリには、各会員の自宅（駐車場）近くに存在するホームセンタや金物店等の、現場で必要とする工具類、消耗品、機械や部品等を販売している商店（資材購入販売店）の位置や電話番号等の所定の地域情報を記憶した地域情報ファイルも格納されているとともに、各会員の自宅（駐車場）近くで行なわれている（近く行なわれる予定も含む）工事等の現場職人に係る仕事の内容の情報を記憶した職場情報ファイルも格納されている。
【００１９】
以下、図３乃至図８の制御手段を用いて、又そのときに表示される図９乃至図１４の各情報の入・出力画面とともに本発明に係る駐車場管理システムの制御動作について説明する。この駐車場管理システムの動作に際し、クライアントＰＣ２におけるメイン画面では、図９に示すように予約業務を扱う「予約実績業務」、管理・運営する駐車場等における従来の事故歴を入力し、それを検索する「事故業務」、同じく管理・運営する駐車場等においての会員相互間に生じたトラブル、その解決例等を入力し、それを検索する「トラブル業務」、会員情報、利用できる駐車場情報等を入力し、管理するためのデータベース作成のための「登録業務」、又、本発明に係る駐車場管理システム業務を例えば日毎に終了するときの「業務終了」等が表示されており、夫々を選択して所定の業務を履行するようになっている。
【００２０】
そして、予約業務を行うときには、これら制御手順のうち、図３に示すように会員である現場職人が電話機５を用いて駐車場を検索し、さらに仮予約する動作を行うものとしてある。先ず、駐車場を利用する現場職人本人は、電話機５を用いてクライアントＰＣ２のオペレータとの間で応答し、オペレータにおいては「予約実績業務」画面を選択して、図１０に示される「予約／実績業務  メイン」画面を表示させて、更に図１１に示される「仮予約−駐車場検索」画面を表示させる。そこで現場職人本人が自己の電話番号をオペレータに伝えるとともに（図３のステップ１００参照。以下、単に（１００）のように記す。）、オペレータに対して本人確認（会員番号による登録された会員か否かの確認）のための本人しか知り得ない情報（図示の例では本人の生年月日情報）が伝えられる（１０２）。またこの際、駐車を希望する住所（地域）とその駐車予定年月日（期間）、時間帯等も伝えられる（１０４）。なお、電話番号通知システムを用いてクライアントＰＣ２のオペレータに電話したときは、電話番号の通知は省略することができる。尚、借りたい駐車場の住所と日時は、画面上の「戻る」、「検索」、「キャンセル」等のクリック等のボタン操作によって前画面に戻ったり、検索したり、キャンセルしたりできるようにしてある。
【００２１】
クライアントＰＣ２のオペレータは、クライアント２を操作して登録されている現場職人であると確認し、検索すると、図１２に示される「仮予約−駐車場一覧」画面が表示され、検索結果の一覧が例えば表形式で示される。こうすることで、その現場職人に対して希望する地域の複数（図示の例では２ヶ所）の駐車場が伝えられる（１０６）。このとき夫々の駐車場における詳細なデータは、駐車場一覧における「詳細」ボタンをクリックすることで図１３に示される「仮予約−駐車場詳細」画面によって表示される。この駐車場の詳細データは、提供駐車場の現地における実測データを主としており、特に駐車スペースにおいて申込者が希望する駐車スペースが確保されているか否かの確認が行われる。そして、この一覧中に現場職人の希望する駐車場があればその駐車場の番号、駐車場名その他の駐車場を特定する表示名がオペレータによって現場職人に伝えられる。
【００２２】
一方、オペレータによって、その駐車場の番号に係る貸手側の現場職人（登録された会員）に対して駐車場の利用を希望している旨の連絡を電話、電子メール等の通信手段を介して通知されるとともに、現場職人対して貸手の駐車場に係る電話等の駐車場データが伝えられ、これにより仮予約が終了となる（１０８、１１０）。
【００２３】
仮予約を行った現場職人は、駐車場を貸す方の現場職人との間で電話連絡等により直接の相互の連絡をとりあい最終的な予約の確認が行なわれ、この確認が得られると、図４に示される本予約が行なわれる。この本予約においても、上記図３のステップ１００，１０２と同様の内容はクライアントＰＣ２のオペレータに伝えられるとともに、予約番号（図３の１１０参照）が通知される（２００、２０２、２０４）。オペレータは予約番号を基にクライアントＰＣ２を操作して予約番号に係る駐車場を検索し、検索された駐車場の持主の現場職人の確認の下に本予約が成立となる（２０６、２０８、２１０）。これにより現場職人は、希望する駐車場、すなわち現場近くの駐車場に、無料で駐車することができる。尚、この本予約における一連の処理は、図１０に示されたメイン画面における「本予約」を選択クリックして行われ、クライアントＰＣ２上における画面では、仮予約における画面構成とほぼ同様なものとされ、仮予約における「仮予約」が「本予約」に変更されたものとなっており、それによって処理される。
【００２４】
又、仮予約、本予約後に生じた種々な理由によって予約を解消する場合には、図１０に示されるメイン画面における「予約取消」を選択し、所定の操作を実行することで行われるようになっている。
【００２５】
図５は駐車場の利用が終了したときの利用実績を管理センタ１に報告するときの動作を示していて、先ず上記図３のステップ１００、１０２と同様に本人確認の情報と予約番号がクライアントＰＣ２のオペレータに伝えられる（３００、３０２、３０４）。これによりオペレータはクライアントＰＣ２を操作して駐車場の利用内容がシステムサーバ４の図示しないメモリに格納されている利用情報ファイルＦ６に記憶されて一連の駐車場利用が終了となる（３０６）。なお、利用情報ファイルＦ６に記憶された駐車場の利用実績データは、後に出力されて駐車場の利用状況調査等に使用される。
【００２６】
図６は、会員である現場職人がパソコン（ＰＣ）７を利用してシステムサーバ４との間で通信を行って仮予約を行う動作を示している。先ず、駐車場を利用する現場職人本人は、パソコン７をシステムサーバ４に接続後、会員番号及びパスワードを入力し、さらに利用しようとする駐車場の住所（地域情報）が入力される（４００、４０２、４０４）。システムサーバ４では入力された住所で駐車可能な駐車場を抽出し、その抽出された駐車場のリストがパソコン７に送出される（４０６）。
【００２７】
駐車場のリストを入手した現場職人は、その中から希望する駐車場のより詳細な情報を入手したのち、予約日時等の詳細な利用情報を入力して仮予約の申込みが行なわれる（４０８、４１０、４１２）。この申込みが受付けられると仮予約が成立し、その仮予約に係る貸し手の現場職人の電話番号等の情報がパソコン７に送出される（４１４、４１６、４１８）。
【００２８】
仮予約を受けた現場職人は、駐車場を貸す方の現場職人との間で電話等により直接の連絡をとり最終的な予約の確認が行なわれ、この確認が得られると、図７に示される本予約が行なわれる。この本予約においても、上記図６のステップ４００、４０２と同様の本人確認が行なわれるとともに、（仮）予約番号が入力される（４０４）。入力された予約番号の内容とシステムサーバ４に記憶されている予約番号に係る駐車場の照合が得られると、本予約が成立し、その旨が、パソコン７に送出される（５０６、５０８、５１０）。これにより現地職人は、希望する駐車場、すなわち現場近くの駐車場に無料で駐車することができる。
【００２９】
図８は、駐車場の利用が終了したときの利用実績を管理センタ１に報告するときの動作を示していて、先ず、上記図６のステップ４００、４０２と同様の本人確認が行なわれたのち、予約番号がパソコン７からシステムサーバ４に入力される（６００、６０２、６０４）。次いでパソコン７から実際の駐車場の利用状態が入力されてシステムサーバ４の利用情報ファイルＦ６に記憶されて、一連の駐車場の利用が終了となる（６０６、６０８、６１０）。なお、利用情報ファイルＦ６に記憶された駐車場の利用実績データは、後に出力されて駐車場の利用状況調査等に利用される。又、この使用実績を確認した後に終了するには、図１０に示されるメイン画面における「予約／実績業務終了」ボタンの選択、クリック等で行われる。
【００３０】
上述のように、本発明に係る駐車場管理システムは、現場職人同士が一種の掲示板方式で駐車場を利用しあえるという特長を有するとともに、ホームセンタ等の地域情報ファイルも利用できるので、日常の業務が円滑になる特長がある。さらに職場情報ファイルを利用することにより新たな仕事が得られる可能性がある。
【００３１】
なお、上述の駐車場利用に当っては、無料で利用できるとしたが、会員が現場職人ではなく、昼間の空時間を現場職人のために提供するのみの会員のような特別の会員の場合、その特別な会員の駐車場を利用する場合は有料とすることもできる。もちろん、この場合の料金は、周囲の有料駐車場の料金よりも低額とされる。また会員は、個人であってもよし有限会社等の会社単位とすることも可能である。また上述の例では、会員は現場職人としたが、他の業種のもの同士であってもよい。
【図面の簡単な説明】
【００３２】
【図１】本発明に係る駐車場管理システムの概略構成図である。
【図２】システムサーバのメモリに記憶される情報ファイルの一例である。
【図３】本発明に係る駐車場管理システムの制御動作を示し、電話利用による情報検索、仮予約時の制御手順図である。
【図４】同じく電話利用による本予約時の制御手順図である。
【図５】同じく電話利用による実績時の制御手順図である。
【図６】同じくＰＣ利用による情報検索、仮予約時の制御手順図である。
【図７】同じくＰＣ利用による本予約時の制御手順図である。
【図８】同じくＰＣ利用による実績時の制御手順図である。
【図９】同じく駐車場管理システムの起動時におけるメインの画面例である。
【図１０】同じく予約／実績業務を行われるときのメインの画面例である。
【図１１】同じく仮予約時の駐車場検索時の画面例である。
【図１２】同じく仮予約時の条件に対応する駐車場の一覧が表示されたときの画面例である。
【図１３】同じく仮予約時に検索された各駐車場における詳細データを表示したときの画面例である。
【図１４】同じく仮予約時の希望者情報、駐車場情報、貸主情報等が表示されたときの画面例である。
【符号の説明】
【００３３】
１…管理センタ                          ２…クライアントＰＣ
３…管理サーバ                          ４…システムサーバ
５…電話機                              ６…電話機
７…パーソナルコンピュータ
Ｌ１…通信回線                          Ｌ２…公衆電話回線網
Ｌ３…通信回線網
Ｆ１…会員情報ファイル                  Ｆ２…保管場所情報ファイル
Ｆ３…車両情報ファイル                  Ｆ４…自動車保険情報ファイル
Ｆ５…会社情報ファイル                  Ｆ６…利用情報ファイル
Ｆ７…事故情報ファイル                  Ｆ８…トラブル情報ファイル
Ｆ９…社員情報ファイル                  Ｆ１０…地域情報ファイル
【図１】
2006301697.tif 000003
【図２】
2006301697.tif 000004
【図３】
2006301697.tif 000005
【図４】
2006301697.tif 000006
【図５】
2006301697.tif 000007
【図６】
2006301697.tif 000008
【図７】
2006301697.tif 000009
【図８】
2006301697.tif 000010
【図９】
2006301697.tif 000011
【図１０】
2006301697.tif 000012
【図１１】
2006301697.tif 000013
【図１２】
2006301697.tif 000014
【図１３】
2006301697.tif 000015
【図１４】
2006301697.tif 000016